(57)【要約】【課題】紙面変更時における作業負荷を極力低減すること。【解決手段】本発明の新聞紙面制作システムによれば、紙面構成を定義した紙面データ７１、及び紙面上に割り付けられた各レイアウト領域にそれぞれ配置された各素材のデータを受信側システム２１（＃ｂ）に送信するデータ通信部１０（＃ａ）と、データ通信部１０（＃ａ）によって送信された各素材の世代情報を各々記憶する管理情報記憶部１２（＃ａ）とを備えている。更に、受信側システム２１（＃ｂ）から紙面データ７１の更新要求があった場合には、要求された紙面データ７１に対応する紙面上に割り付けられた各レイアウト領域に配置された素材の各々について、最新の世代情報と、管理情報記憶部１２（＃ａ）に記憶された世代情報とを比較し、最新の世代が、管理情報記憶部１２（＃ａ）に記憶された世代よりも新しい素材を抽出するデータ管理部１１（＃ａ）を備えている。【選択図】      図１
2006018510.tif 000002
【特許請求の範囲】
【請求項１】
新聞紙面上に割り付けられた各レイアウト領域に、記事、画像、及び写真を含む素材を配置することによって、新聞紙面を制作する新聞紙面制作システムにおいて、
前記新聞紙面の紙面構成を定義した紙面データ、および前記各レイアウト領域にそれぞれ配置された各素材のデータを別の新聞紙面制作システムに送信する送信手段と、
前記送信手段によって送信された各素材の世代情報をおのおの記憶する記憶手段と、
前記別の新聞紙面制作システムから、前記紙面データの更新要求があった場合には、更新要求された紙面データに対応する新聞紙面上に割り付けられた各レイアウト領域に配置された素材のおのおのについて、最新の世代情報と、前記記憶手段に記憶された世代情報とを比較し、最新の世代が、前記記憶手段に記憶された世代よりも新しい素材を抽出する抽出手段と
を備えた新聞紙面制作システム。
【請求項２】
請求項１に記載の新聞紙面制作システムにおいて、
前記抽出手段は、前記抽出した素材のデータを、前記送信手段から前記別の新聞システムへと送信させるようにした新聞紙面制作システム。
【発明の詳細な説明】
【技術分野】
【０００１】
本発明は、新聞紙面上に割り付けられた各レイアウト領域に、記事、画像、及び写真を含む素材を配置することによって新聞紙面を制作するシステムに係り、特に、複数の本社を持ち、各本社間で紙面を相互利用する新聞社向に好適なシステムである。
【背景技術】
【０００２】
従来、新聞紙面の制作は、図２１に示すようなシステム構成の新聞紙面制作システムを用いてなされている。このような新聞紙面制作システムは、通常は新聞社の本社に設置され、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とによって構成されている。
【０００３】
記事入力／校正端末１は、記事の入力および校正を行うための端末であり、オペレータによって記事データが入力されると、入力された記事データは、この記事入力／校正端末１によって記事サーバ２に出力される。また、この記事入力／校正端末１によって、記事サーバ２に蓄積されている記事データが取得される。この取得された記事データは、記事入力／校正端末１を介してなされるオペレータ操作によって校正がなされ、更に校正された記事データは、記事入力／校正端末１から記事サーバ２に再び出力される。
【０００４】
記事サーバ２では、このようにして記事入力／校正端末１から入力された記事データの他に、図示しない通信回線を経由して通信社などから入力された記事データも送信される。この送信された記事データもまた記事サーバ２に蓄積される。更に、記事入力／校正端末１からの校正要求に基づいて、蓄積している記事データの中から、要求のあった記事データは、記事サーバ２から記事入力／校正端末１へと出力される。更に、記事サーバ２に蓄積されている記事データは、オペレータ指示に基づいて組版編集サーバ６に出力される。
【０００５】
スキャナやディスプレイ等が備えられている画像入力／加工端末３では、画像データの入力および画像データの加工が行われる。入力された画像データは、画像入力／加工端末３から画像サーバ４へと出力される。また、オペレータから入力された画像データの加工操作入力に基づいて画像データの加工が行われ、加工された画像データは、この画像入力／加工端末３から画像サーバ４へと出力される。
【０００６】
画像入力／加工端末３から出力された画像データは、画像サーバ４に蓄積される。また、画像サーバ４に蓄積されている画像データは、画像入力／加工端末３から要求があると、画像入力／加工端末３に出力される。また、オペレータから指示があった場合には、組版編集サーバ６に出力される。
【０００７】
組版端末５は、オペレータが、記事、画像、および見出しのレイアウト編集を行うための操作入力を行う端末であり、各オペレータに対して１台ずつ備えられている。図２１では、代表的に１台の組版端末５のみを示している。各オペレータは、自分が担当する組版端末５を操作することによってレイアウト編集作業を行っている。
【０００８】
組版編集サーバ６では、組版端末５から出力された操作情報に基づいて、紙面データ７１の編集作業が行われる。そして、このように組版編集サーバ６で編集作業がなされた紙面データ７１は、紙面データ格納部７に格納される。また、一旦格納された紙面データ７１が再び組版編集サーバ６へと読み出され、再び編集作業が行われた後に紙面データ格納部７に格納されることも可能である。
【０００９】
出力サーバ８では、組版端末５からの大刷／版下出力指示にしたがって、組版編集サーバ６から出力された紙面データ７１がドットデータに展開される。このように展開されたドットデータに基づいて、プリンタ／プロッタ９から大刷や版下が出力される。
【００１０】
さて、新聞社の中には、例えば東京本社、大阪本社など複数の本社を持つところもある。このような新聞社では、各本社それぞれに上述したような新聞紙面制作システムが設けられており、各本社間で紙面が相互利用されている。紙面の相互利用の形態は、記事下広告を含めた紙面全体、記事下広告を除いた紙面の記事部分全面、紙面の記事部分の一部分など様々である。この場合、相互利用する紙面の送信側となる本社と、受信側となる本社とが存在し、送信側となる本社が相互利用する紙面をレイアウトして紙面データ７１を作成し、作成した紙面データ７１を、この紙面データ７１に配置される素材のデータとともに、受信側となる本社に送信している。そして、受信側となる本社では、この紙面データ７１と、素材データとを受信する一方、紙面の残り部分、すなわち自己で固有に制作する紙面をレイアウトする。
【特許文献１】特願２００１−２７３２８２
【発明の開示】
【発明が解決しようとする課題】
【００１１】
しかしながら、上述したように複数の本社で一部の紙面を共有しながらそれぞれの紙面制作を行う場合において、紙面データ７１の差し替えがあると、この紙面に配置される全ての素材データもまた機械的に送信側本社から受信側本社へと送信されている。そして、受信側本社では、このようにして送信されてきた紙面データ７１の指定された場所に、所定の素材データを配置することによって紙面の更新作業が行われている（例えば、特許文献１参照）。
【００１２】
しかしながら、紙面データ７１、あるいは素材データの全てが差し替えになるということは希であり、通常の場合、いずれか一部の紙面レイアウト、あるいは素材データのみが変更になるということが多い。にもかかわらず、送信側本社からは、差し替えのあった紙面の紙面データ７１、およびこの紙面に配置される全ての素材データが、受信側本社の意向に関わらず送信されている。受信側本社では、送信された素材データを用いて、紙面の再制作を行わねばならないが、差し替えのない素材データも含めて一括して送信されてくることから、かなりの重複作業が発生することになる。
【００１３】
これは、締め切りまでに時間的に余裕のある場合であれば問題ないが、締め切り直前になって紙面データ７１の大幅な差し替えが発生した場合には、時間的に間に合わなくなる恐れがあるという問題がある。
【００１４】
これを改善するためには、送信側本社は、受信側本社から要求のあった場合にのみ、変更のあった素材データのみを受信側本社に送信するようにすれば良いように思われる。しかしながら、変更のあった素材データのみを送信するためには、送信側本社が、受信側本社に対してどの世代の素材データまでを送信したのかを把握しておき、素材データを受信側本社に送信する場合には、それが既に受信側本社に送信されているものなのか否かを逐一確認する必要がある。これは逆に送信側本社の紙面作成担当者にとって負担となるという問題がある。
【００１５】
本発明はこのような事情に鑑みてなされたものであり、送信側本社に、受信側本社へ送信した素材データの世代を管理し、受信側本社から紙面の送信要求があった場合には、送信側本社で、この紙面に配置される素材データの世代を確認し、世代が更新された素材データのみを受信側本社に送信する機能を備えることによって、送信側本社の紙面作成担当者に新たな負担を強いることなく、紙面変更時における受信側本社の作業負荷を極力低減することが可能な新聞紙面制作システムを提供することを目的とする。
【課題を解決するための手段】
【００１６】
上記の目的を達成するために、本発明では、以下のような手段を講じる。
【００１７】
すなわち、本発明では、新聞紙面上に割り付けられた各レイアウト領域に、記事、画像、及び写真を含む素材を配置することによって、新聞紙面を制作する新聞紙面制作システムにおいて、以下に示すような送信手段と、記憶手段と、抽出手段とを備えている。
【００１８】
この送信手段は、新聞紙面の紙面構成を定義した紙面データ、および各レイアウト領域にそれぞれ配置された各素材のデータを別の新聞紙面制作システムに送信する。また、記憶手段は、送信手段によって送信された各素材の世代情報をおのおの記憶する。更に、抽出手段は、別の新聞紙面制作システムから、紙面データの更新要求があった場合には、更新要求された紙面データに対応する新聞紙面上に割り付けられた各レイアウト領域に配置された素材のおのおのについて、最新の世代情報と、記憶手段に記憶された世代情報とを比較し、最新の世代が、記憶手段に記憶された世代よりも新しい素材を抽出する。そして、抽出した素材のデータを、送信手段から別の新聞システムへと送信させるようにしている。
【００１９】
従って、本発明の新聞紙面制作システムにおいては、以上のような手段を講じることにより、送信側本社は、担当者に負担を強いることなく、世代が更新された素材データのみを自動的に受信側本社に送信することができる。一方、受信側本社は、要求した紙面に配置される素材のうち、更新を要する素材データのみを受信することができるので、紙面変更時の重複作業を排除し、紙面変更時の作業効率を高めることが可能となる。
【発明の効果】
【００２０】
本発明によれば、送信側本社の紙面作成担当者に新たな負担を強いることなく、紙面変更時における受信側本社の作業負荷を極力低減することが可能な新聞紙面制作システムを実現することができる。
【発明を実施するための最良の形態】
【００２１】
以下に、本発明を実施するための最良の形態について図面を参照しながら説明する。
【００２２】
なお、以下の形態の説明に用いる図中の符号は、図２１と同一部分については同一符号を付して示すことにする。
【００２３】
図１は、本発明の実施の形態に係る新聞紙面制作システムの一例を示す機能ブロック図である。
【００２４】
すなわち、同実施の形態に係る新聞紙面制作システム２０は、新聞紙面上に割り付けられた各レイアウト領域に、記事、画像、及び写真を含む素材を配置することによって、新聞紙面を制作する新聞紙面制作システムであって、図１に示す送信側システム２１（＃ａ）と受信側システム２１（＃ｂ）とのそれぞれに相当する。送信側システム２１（＃ａ）は、図２１に示す従来技術による新聞紙面制作システムに、データ通信部１０（＃ａ）とデータ管理部１１（＃ａ）と管理情報記憶部１２（＃ａ）とを付加した構成としている。また、受信側システム２１（＃ｂ）は、図２１に示す従来技術による新聞紙面制作システムに、データ通信部１０（＃ｂ）を付加した構成としている。データ通信部１０（＃ａ）とデータ通信部１０（＃ｂ）とは、通信ネットワーク１３で接続されている。
【００２５】
なお、図１では、説明の都合上、送信側システム２１（＃ａ）と受信側システム２１（＃ｂ）とを別の構成としているが、受信側システム２１（＃ｂ）にも、データ管理部１１と管理情報記憶部１２とを備え、更に送信側システム２１（＃ａ）のデータ通信部１０（＃ａ）と、受信側システム２１（＃ｂ）のデータ通信部１０（＃ｂ）とを、両データ通信部の機能を併せ持つものとすることによって、送信側システム２１（＃ａ）と受信側システム２１（＃ｂ）とを同一構成とすることも可能である。この場合、送信側システム２１（＃ａ）のみならず、受信側システム２１（＃ｂ）もまた請求項でいう新聞紙面制作システムに相当する。
【００２６】
送信側システム２１（＃ａ）のデータ通信部１０（＃ａ）は、送信側システム２１（＃ａ）が保持している紙面データ７１を受信側システム２１（＃ｂ）に送信したり、あるいは、データ通信部１０（＃ｂ）を介して受信側システム２１（＃ｂ）から送信される情報を受信する。
【００２７】
このようなデータ通信部１０（＃ａ）に、組版端末５（＃ａ）を介してなされるオペレータ操作によって、新たな紙面データ７１が紙面データ格納部７（＃ａ）から取得されるとともに、この紙面データ７１を受信側システム２１（＃ｂ）に送信するよう指示があった場合には、この紙面データ７１を、データ管理部１１（＃ａ）に送る。なお、当該指示はこのようにオペレータ操作による他に、予め定めた予定時刻になったら、あるいは所定条件が満足された場合に自動的になされるようにしても良い。
【００２８】
データ管理部１１（＃ａ）は、このようにしてデータ通信部１０（＃ａ）から紙面データ７１が送られると、この紙面データ７１内の素材データの素材ＩＤ番号、世代などを管理情報記憶部１２（＃ａ）に書き込み、データ送信許可信号をデータ通信部１０（＃ａ）に送る。
【００２９】
データ通信部１０（＃ａ）は、このようにしてデータ管理部１１（＃ａ）からデータ送信許可信号が送られると、紙面データ７１を、受信側システム２１（＃ｂ）のデータ通信部１０（＃ｂ）に向けて送信する。
【００３０】
データ通信部１０（＃ｂ）では、このようにして送信側システム２１（＃ａ）から紙面データ７１が送信されると、これを受信し、組版編集サーバ６（＃ｂ）を介して紙面データ格納部７（＃ｂ）に送り、ここに格納させる。
【００３１】
受信側システム２１（＃ｂ）では、紙面内容を確定したい場合、あるいは紙面に配置する素材データの最新世代のものを取得したい場合には、組版端末５（＃ｂ）を介したオペレータ操作によって、更新したい紙面データ７１を指定した更新要求を作成し、この更新要求を、データ通信部１０（＃ｂ）からデータ通信部１０（＃ａ）へと送信する。
【００３２】
この更新要求がデータ通信部１０（＃ａ）によって受信されると、データ通信部１０（＃ａ）はこの更新要求を組版編集サーバ６（＃ａ）に出力する。組版編集サーバ６（＃ａ）は、この更新要求に基づいて、該当する紙面データ７１を紙面データ格納部７（＃ａ）から取得し、データ通信部１０（＃ａ）に送る。そして、データ通信部１０（＃ａ）は、この紙面データ７１を、データ管理部１１（＃ａ）に送る。
【００３３】
データ管理部１１（＃ａ）は、この紙面データ７１内の素材データの素材ＩＤ番号に基づいて、各素材データの世代を、管理情報記憶部１２（＃ａ）に既に書き込まれている世代と比較する。そして、世代が更新されている素材データを抽出し、抽出した素材データのみをデータ通信部１０（＃ａ）からデータ通信部１０（＃ｂ）へと送信させる。また、これにあわせて、抽出された素材データについて管理情報記憶部１２（＃ａ）に書き込まれている世代も、送信した世代のものに更新する。
【００３４】
受信側システム２１（＃ｂ）のデータ通信部１０（＃ｂ）は、このようにして、更新された素材データのみを送信側システム２１（＃ａ）から取得する。そして、更新された素材データを取得すると、この素材データを組版編集サーバ６（＃ｂ）に送り、組版編集サーバ６（＃ｂ）は、紙面データ格納部７（＃ｂ）に格納されている対応する紙面データ７１の素材データを更新する。
【００３５】
次に、以上のように構成した同実施の形態に係る新聞紙面制作システムの動作について説明する。
【００３６】
まず、送信側システム２１（＃ａ）から受信側システム２１（＃ｂ）へと新たな紙面データ７１を送信する場合の動作について図２のフローチャートを用いて説明する。
【００３７】
オペレータが組版端末５（＃ａ）から紙面データ７１のデータ名を指定することにより、組版編集サーバ６（＃ａ）を介してデータ通信部１０（＃ａ）に対して、紙面データ７１を受信側システム２１（＃ｂ）に送信するよう指示すると、組版編集サーバ６（＃ａ）によって、対応する紙面データ７１が紙面データ格納部７（＃ａ）から読み出され、データ通信部１０（＃ａ）へと送られる。また、データ通信部１０（＃ａ）へと送られた紙面データ７１は、データ通信部１０（＃ａ）からデータ管理部１１（＃ａ）へも送られる（Ｓ１）。
【００３８】
紙面データ７１の構成例を以下に説明する。すなわち、紙面データ７１は、図３に示すような管理情報と、図４から図１２に示すような各素材データと、図１３に示すような実データテーブルとからなっている。
【００３９】
管理情報は、図３に示すように、掲載年月日７１ＫＮ、面名７１ＭＮ、版名７１ＨＮ、送信元本社名７１ＨＳ、印刷ページ番号７１ＰＧ、体裁情報（組方向、段数、字詰、文字サイズ、段間、行間など）７１ＴＳ、紙面Ｘ方向寸法７１ＰＸ、紙面Ｙ方向寸法７１ＰＹの各データからなっている。
【００４０】
素材データは、紙面への配置が検討されている全ての素材毎に存在するものである。したがって、例えば、記事ａ、記事ｂ、記事ｃ、画像ｄ、画像ｅ、記事ｆ、画像ｇ、記事ｈ、画像ｉの各素材データの配置が検討されている紙面の場合においては、図４から図１２に示すように、これら各素材毎に素材データが存在する。これはあくまで紙面に９つの素材を配置する場合の例であって、これ以上の素材が配置される場合も、またこれ以下の素材の配置で済む場合もある。何れの場合においても、配置される素材毎にこのような素材データが存在する。
【００４１】
このような素材データのデータ構成は、記事の場合、＃１素材データ（記事ａ）を対象とした図４に示すように、素材種別７１ＳＢ（＃１）、素材ＩＤ番号７１ＩＤ（＃１）、世代（バージョン）７１ＶＳ（＃１）、配置情報７１ＬＴ（＃１）、仮見出７１ＫＭ（＃１）、記事のテキスト格納情報７１ＡＤ（＃１）、記事のレイアウト済テキスト格納情報７１ＢＤ（＃１）を持つ。図５、図６、図９、図１１も記事に関する素材データであるので同様なデータ構成をしている。
【００４２】
一方、画像の場合、＃４素材データ（画像ｄ）を対象とした図７に示すように、記事のテキスト格納情報７１ＡＤに代えて画像の表示画格納情報７１ＡＤ（＃４）を、記事のレイアウト済テキスト格納情報７１ＢＤに代えて画像の実画像格納情報７１ＢＤ（＃４）を持つ。図８、図１０、図１２も画像に関する素材データであるので同様なデータ構成をしている。
【００４３】
実データは、図１３に示すように、＃ｎ素材データ毎の記事のテキスト７１ＴＸ（＃ｎ）、レイアウト済テキスト７１ＬＸ（＃ｎ）、画像の表示画データ７１ＨＩ（１＃ｎ）、画像の実画像データ７１ＲＩ（１＃ｎ）からなっている。
【００４４】
さて、管理情報記憶部１２（＃ａ）は、図１４にそのデータ構成例を示すような管理テーブル１２０が保持されている。この管理テーブル１２０は、データ通信部１０（＃ａ）からデータ管理部１１（＃ａ）に送られた紙面データ７１の数に対応して、紙面データ７１毎に設けられたレコード１２１，１２２，・・・が積まれてなる。例えば＃１レコードは、送信元本社名１２１ＳＨＳ、送信先本社名１２１ＲＨＳ、送信日時１２１ＴＩＭ、送信元本社での掲載年月日１２１ＳＫＮ、送信元本社での面名１２１ＳＭＮ、送信元本社での版名１２１ＳＨＮ、送信先本社での掲載年月日１２１ＲＫＮ、送信先本社での面名１２１ＲＭＮ、送信先本社での版名１２１ＲＨＮ、第ｎ番目の素材の素材ＩＤ番号１２１ＩＤ（＃ｎ）、第ｎ番目の素材の世代１２１ＶＳ（＃ｎ）、第ｎ番目の素材の素材種別１２１ＳＢ（＃ｎ）等の各データから構成してなる。
【００４５】
ステップＳ１において、データ通信部１０（＃ａ）からデータ管理部１１（＃ａ）へと紙面データ７１が送られると、データ管理部１１（＃ａ）によって、管理テーブル１２０内のデータの書き込まれていないレコードである空きレコードが探索される（Ｓ２）。そして、この空きレコードに対して、送信元本社名１２１ＳＨＳ、送信先本社名１２１ＲＨＳ、送信日時１２１ＴＩＭ、送信元本社での掲載年月日１２１ＳＫＮ、送信元本社での面名１２１ＳＭＮ、送信元本社での版名１２１ＳＨＮ、送信先本社での掲載年月日１２１ＲＫＮが書き込まれ、新たなレコードが作成される（Ｓ３）。そして、新たなレコードの作成を終えたならば、データ管理部１１（＃ａ）からデータ通信部１０（＃ａ）へとデータ送信許可信号が送られる。
【００４６】
データ管理部１１（＃ａ）からデータ通信部１０（＃ａ）へとデータ送信許可信号が送られると、データ通信部１０（＃ａ）によって、紙面データ７１内の第１のレコードである＃１素材データが対象とされる（Ｓ４）。すると、＃１素材データの内容（図４）に基づいて、データ管理部１１（＃ａ）によって、＃１素材データの素材ＩＤ番号７１ＩＤ（＃ａ）、世代７１ＶＳ（＃１）、種別７１ＳＢ（＃１）が、管理テーブル１２０の素材ＩＤ番号１２１ＩＤ（＃１）、世代１２１ＶＳ（＃１）、素材種別１２１ＳＢ（＃１）にそれぞれ書き込まれる（Ｓ５）。
【００４７】
ステップＳ５のような管理テーブル１２０への書き込み処理が、送信する紙面データ７１の全ての素材データについて行われる（Ｓ６：Ｎｏ，Ｓ７）。そして、全ての素材データについての書き込み処理が終了した場合（Ｓ６：Ｙｅｓ）には、データ通信部１０（＃ａ）からデータ通信部１０（＃ｂ）へと紙面データ７１が送信される（Ｓ８）。
【００４８】
次に、このようにして紙面データ７１が送信された受信側システム２１（＃ｂ）の動作について図１５のフローチャートを用いて説明する。
【００４９】
すなわち、ステップＳ８のようにして送信側システム２１（＃ａ）から送信された紙面データ７１は、受信側システム２１（＃ｂ）のデータ通信部１０（＃ｂ）によって受信される。すると、この紙面データ７１は、組版編集サーバ６（＃ｂ）を介して紙面データ格納部７（＃ｂ）へと送られ、ここで、紙面データ７１内の管理情報の掲載年月日７１ＫＮ、面名７１ＭＮ、版名７１ＨＮが、受信側システム２１（＃ｂ）が備えられている本社の内容に書き換えられ（Ｓ１１）、しかる後にこの紙面データ７１が紙面データ格納部７（＃ｂ）に格納される（Ｓ１２）。
【００５０】
次に、受信側システム２１（＃ｂ）から送信側システム２１（＃ａ）へと素材データの更新要求を行う場合の動作について図１６のフローチャートを用いて説明する。
【００５１】
受信側システム２１（＃ｂ）では、紙面内容を確定したい場合、あるいは紙面に配置する素材データの最新世代のものを取得したい場合には、組版端末５（＃ｂ）を用いてオペレータ操作によって、更新したい紙面データ７１を指定した更新要求を作成する。この更新要求は、データ通信部１０（＃ｂ）からデータ通信部１０（＃ａ）へと送信される（Ｓ２０）。
【００５２】
この更新要求は、データ通信部１０（＃ａ）によって受信されると、更にデータ通信部１０（＃ａ）から組版編集サーバ６（＃ａ）へと送られる。そして、組版編集サーバ６（＃ａ）では、この更新要求に基づいて、該当する紙面データ７１が紙面データ格納部７（＃ａ）から取得され、データ通信部１０（＃ａ）に送られる。更に、この紙面データ７１は、データ通信部１０（＃ａ）からデータ管理部１１（＃ａ）へと送られる。
【００５３】
するとデータ管理部１１（＃ａ）では、この紙面データ７１内の素材データの素材ＩＤ番号７１ＩＤ（＃ｎ）に基づいて、各素材データの世代７１ＶＳ（＃ｎ）が、管理情報記憶部１２（＃ａ）の管理テーブル１２０に既に書き込まれている世代１２１ＶＳ（＃ｎ）と比較される（Ｓ２１）。この処理の詳細については、図１７および図１８を用いて後述する。
【００５４】
そして、世代が更新されている、すなわち、世代７１ＶＳが世代１２１ＶＳよりも新しい素材データが存在する場合（Ｓ２２：Ｙｅｓ）には、それが抽出され、抽出した素材データのみがデータ通信部１０（＃ａ）からデータ通信部１０（＃ｂ）へと送信され、データ通信部１０（＃ｂ）によって受信される（Ｓ２３）。
【００５５】
一方、世代７１ＶＳが世代１２１ＶＳよりも新しい素材データが存在しない場合（Ｓ２２：Ｎｏ）には、送信側システム２１（＃ａ）から素材データは送信されない。
【００５６】
そして、世代が更新されている素材データの一件分の受信が終わる（Ｓ２４：Ｙｅｓ）と、この素材データは、データ通信部１０（＃ｂ）から組版編集サーバ６（＃ｂ）へと送られる。そして、組版編集サーバ６（＃ｂ）では、紙面データ格納部７（＃ｂ）に格納されている対応する紙面データ７１の素材データ（世代７１ＶＳ（＃ｎ）、記事のテキスト格納情報７１ＡＤ（＃ｎ）、記事のレイアウト済テキスト格納情報７１ＢＤ（＃ｎ）、画像の表示画格納情報７１ＡＤ（＃ｎ）、画像の実画像格納情報７１ＢＤ（＃ｎ）等）が更新される（Ｓ２５）。
【００５７】
素材データは、更新されると、組版編集サーバ６（＃ｂ）から紙面データ格納部７（＃ｂ）へと送られ、格納されることによって、紙面データ格納部７（＃ｂ）内の紙面データ７１が更新される（Ｓ２６）。ステップＳ２３からステップＳ２６までの処理が、全ての更新素材を対象に行われるまで繰り返される（Ｓ２７）。
【００５８】
さて、ステップＳ２１においてデータ管理部１１（＃ａ）にて行われる世代情報の比較処理の詳細について、図１７および図１８のフローチャートを用いて説明する。
【００５９】
データ通信部１０（＃ａ）からデータ管理部１１（＃ａ）へと紙面データ７１が送られる（Ｓ３１）と、データ管理部１１（＃ａ）によって、まず紙面データ７１内の素材データの第１のレコード、すなわち＃１素材データが対象とされる（Ｓ３２）。
【００６０】
そして、対象とされた素材データの素材ＩＤ番号７１ＩＤが、管理テーブル１２０に登録されている場合（Ｓ３３：Ｙｅｓ）には、更に、対象とされた素材データの世代７１ＶＳ（＃ｎ）が、管理情報記憶部１２（＃ａ）の管理テーブル１２０に既に書き込まれている世代１２１ＶＳ（＃ｎ）と比較され、その結果がワークリストに記憶される。図１９は、ワークリストの一例を示す図である。
【００６１】
そして、このワークリストを参照して、紙面データ７１の世代７１ＶＳが、管理テーブル１２０の世代１２１ＶＳよりも新しい場合（Ｓ３４：Ｙｅｓ）には、それが更新素材として抽出され、その素材ＩＤ番号７１ＩＤ、世代７１ＶＳ、素材種別７１ＳＢを記憶する（Ｓ３５）。
【００６２】
これを、図１９に示すワークリストの例を用いて説明すると、素材ＩＤ番号が「３」である記事ｃについては、管理テーブル１２０には世代「１」が書き込まれている一方、素材データには世代「３」と書き込まれているので、過去に受信側システム２１（＃ｂ）に送信されてからその後二度更新されていることがわかる。また、素材ＩＤ番号が「５」である画像ｅについては、管理テーブル１２０には世代「１」が書き込まれている一方、素材データには世代「２」と書き込まれているので、過去に受信側システム２１（＃ｂ）に送信されてからその後一度更新されていることがわかる。素材ＩＤ番号が６〜９である記事ｆ、画像ｇ、記事ｈ、画像ｉについては、管理テーブル１２０に書き込まれておらず、受信側システム２１（＃ｂ）には未だ送信されていないことがわかる。素材ＩＤ番号が１，２，４の素材データについては、紙面データ７１、管理テーブル１２０ともに世代が一致しており、過去に受信側システム２１（＃ｂ）に送信されたままその後一度も更新されていないことがわかる。
【００６３】
ステップＳ３３からステップＳ３５までの処理が、紙面データ７１の全ての素材データを対象になされるまで繰り返される（Ｓ３６：Ｎｏ，Ｓ３７）。そして、全ての素材データについての処理が完了する（Ｓ３６：Ｙｅｓ）と、ステップＳ３５で更新素材が抽出された場合（Ｓ３８：Ｙｅｓ）には、抽出された更新素材がデータ通信部１０（＃ａ）から受信側システム２１（＃ｂ）のデータ通信部１０（＃ｂ）へと送信される（Ｓ３９）。図１９のワークリストを用いて説明すると、記事ｃ、画像ｅ、記事ｆ、画像ｇ、記事ｈ、画像ｉが抽出された更新素材に該当する。ステップＳ３５で更新素材が抽出されなかった場合（Ｓ３８：Ｎｏ）には、処理を終了する。
【００６４】
ステップＳ３９において、更新素材が送信されると、データ管理部１１（＃ａ）によって、管理テーブル１２０の該当レコードの送信日時（例えば、＃１レコードの場合は、１２１ＴＩＭ）が更新される（Ｓ４０）。次に、ワークリストに書き込まれた更新素材の素材ＩＤ番号、世代、および素材種別と、この更新素材の実体データとが、データ通信部１０（＃ａ）からデータ通信部１０（＃ｂ）へと送信される（Ｓ４１）。更に、データ管理部１１（＃ａ）によって、管理テーブル１２０の更新素材の世代（例えば、＃１レコードの場合は、１２１ＶＳ（＃ｎ））が更新される（Ｓ４２）。これによって、図２０に示すように、更新素材の管理テーブル１２０の世代が、紙面データ７１の世代と一致するように変更される。ステップＳ４１からステップＳ４２までの処理は、ワークリストに書き込まれた全ての素材データに対して行われる（Ｓ４３）。
【００６５】
上述したように、同実施の形態に係る新聞紙面制作システムにおいては、上記のような作用により、送信側本社に設けられた送信側システム２１（＃ａ）において、受信側本社に設けられた受信側システム２１（＃ｂ）に対して過去に送信した素材データの世代を管理することができる。
【００６６】
そして、受信側システム２１（＃ｂ）から最新の素材データを送信するよう要求があった場合には、素材データの現在の世代を、過去に送信した世代と比較することによって、世代が更新された素材データのみを受信側システム２１（＃ｂ）に対して自動的に、すなわち、オペレータに何ら作業負荷を発生させることなく送信することができる。
【００６７】
一方、受信側システム２１（＃ｂ）は、必要最低限の素材データのみを受信することができるので、紙面更新に要する作業負荷を極力低減することが可能となる。
【００６８】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００６９】
【図１】本発明の実施の形態に係る新聞紙面制作システムの一例を示す機能ブロック図。
【図２】送信側システムから受信側システムへと新たな紙面データを送信する場合の動作例を示すフローチャート。
【図３】管理情報の一例を示すデータ構成図。
【図４】素材データの一例を示すデータ構成図（記事ａ）。
【図５】素材データの一例を示すデータ構成図（記事ｂ）。
【図６】素材データの一例を示すデータ構成図（記事ｃ）。
【図７】素材データの一例を示すデータ構成図（画像ｄ）。
【図８】素材データの一例を示すデータ構成図（画像ｅ）。
【図９】素材データの一例を示すデータ構成図（記事ｆ）。
【図１０】素材データの一例を示すデータ構成図（画像ｇ）。
【図１１】素材データの一例を示すデータ構成図（記事ｈ）。
【図１２】素材データの一例を示すデータ構成図（画像ｉ）。
【図１３】実データテーブルの一例を示すデータ構成図。
【図１４】管理テーブルの一例を示すデータ構成図。
【図１５】紙面データが送信された受信側システムの動作例を示すフローチャート。
【図１６】受信側システムから送信側システムへと素材データの更新要求を行う場合の動作例を示すフローチャート。
【図１７】データ管理部で行われる世代情報の比較処理動作の一例を示すフローチャート（前半）。
【図１８】データ管理部で行われる世代情報の比較処理動作の一例を示すフローチャート（後半）。
【図１９】ワークリストの一例を示す図。
【図２０】ワークリストの世代情報が更新される状態を示した図。
【図２１】従来技術による新聞紙面制作システムの機能構成図。
【符号の説明】
【００７０】
１…記事入力／校正端末、２…記事サーバ、３…画像入力／加工端末、４…画像サーバ、５…組版端末、６…組版編集サーバ、７…紙面データ格納部、８…出力サーバ、９…プリンタ／プロッタ、１０…データ通信部、１１…データ管理部、１２…管理情報記憶部、１３…通信ネットワーク、２０…新聞紙面制作システム、２１（＃ａ）…送信側システム、２１（＃ｂ）…受信側システム、７１…紙面データ、１２０…管理テーブル
【図１】
2006018510.tif 000003
【図２】
2006018510.tif 000004
【図３】
2006018510.tif 000005
【図４】
2006018510.tif 000006
【図５】
2006018510.tif 000007
【図６】
2006018510.tif 000008
【図７】
2006018510.tif 000009
【図８】
2006018510.tif 000010
【図９】
2006018510.tif 000011
【図１０】
2006018510.tif 000012
【図１１】
2006018510.tif 000013
【図１２】
2006018510.tif 000014
【図１３】
2006018510.tif 000015
【図１４】
2006018510.tif 000016
【図１５】
2006018510.tif 000017
【図１６】
2006018510.tif 000018
【図１７】
2006018510.tif 000019
【図１８】
2006018510.tif 000020
【図１９】
2006018510.tif 000021
【図２０】
2006018510.tif 000022
【図２１】
2006018510.tif 000023